(57)【特許請求の範囲】
【請求項１】
光ピックアップ用のレンズを保持しているレンズホルダと、該レンズホルダを複数のサスペンションワイヤを介して上下左右に変位可能に支持し、前記複数のサスペンションワイヤの一端部をその後壁側に設けられた配線基板に接続するためのダンパベースと、前記複数のサスペンションワイヤの振動を減衰させるためのゲル状の制振材とを含む光ヘッドアクチュエータにおいて、
前記ダンパベースは、
前記複数のサスペンションワイヤの一端部を固定するための固定面を露出させる切欠きを前記後壁側に有する固定部と、
前記複数のサスペンションワイヤの一端部を前記固定部の切欠きへ通すための穴と、前記複数のサスペンションワイヤの一端部を前記固定部の切欠きへ挿通させると共に前記制振材を収容する収容空間とを備え、かつ前記固定部に一体に形成された脚状部と、
を有し、
前記穴は、そこに前記複数のサスペンションワイヤを挿通させた状態で合成樹脂により塞がれ、
前記複数のサスペンションワイヤは、前記固定部の切欠きに合成樹脂により固定され、かつ前記配線基板に半田付け接続されている
ことを特徴とする光ヘッドアクチュエータ。
【請求項２】
前記ダンパベースは、透明な合成樹脂から成り、前記制振材は、前記ダンパベースを透過した紫外線によりゲル状に成るものであることを特徴とする請求項１に記載の光ヘッドアクチュエータ。
【発明の詳細な説明】
【０００１】
【発明の属する技術分野】
本発明は、光ディスクのような光記録媒体への記録再生用の光ヘッドアクチュエータに関する。
【０００２】
【従来の技術】
従来の光ヘッドアクチュエータの一例について、図６〜図８を参照して説明する。図６において、光ヘッドアクチュエータは、対物レンズ３１を保持するレンズホルダ３０と、このレンズホルダ３０に備えられたコイルボビンに巻回されたフォーカシングコイル３２ａ及びトラッキングコイル３２ｂと、このレンズホルダ３０を、ダンパベース３３に対して、フォーカシング方向Ｆ及びトラッキング方向Ｔｒに移動可能に支持するサスペンションワイヤ３４と、ダンパベース３３をラジアル方向Ｒに揺動調整可能に支持するピックアップベース３５と、このピックアップベース３５をタンジェンシャル方向Ｔａに揺動調整可能に支持するアクチュエータベース４０とから構成されている。
【０００３】
サスペンションワイヤ３４は、図示の場合、全体として二対、計４本が配設されており、それぞれレンズホルダ３０の両側にて、レンズホルダ３０とダンパベース３３とを連結することにより、機械的及び電気的に接続するようになっている。
【０００４】
ピックアップベース３５には、二本のヨーク３５ａ，３５ｂが一体に形成されている。このヨーク３５ａのヨーク３５ｂと対向する面には、マグネット３６が備えられており、このマグネット３６と共にヨーク３５ａは、フォーカシングコイル３２ａに挿通されている。一方、ヨーク３５ｂは、そのヨーク３５ａと対向する面でトラッキングコイル３２ｂと対向し、丁度、ヨーク３５ａと共同してトラッキングコイル３２ｂをトラッキング方向Ｔｒに垂直な水平方向Ｘで間隔をあけて挟むように配設されている。ピックアップベース３５は更に、ダンパベース３３をＸ方向から固定するための立上り部３５ｃと、立上り部３５ｃを貫通してダンパベース３３に設けられたネジ穴３３ａに螺合するネジ３５ｄと、下方からピックアップベース３５を貫通してダンパベース３３の下面に当接するネジ３５ｅと、ダンパベース３３の下面を上方に付勢するコイルバネ３５ｆ（図７参照）とを備えている。
【０００５】
アクチュエータベース４０は、ピックアップベース３５をタンジェンシャル方向Ｔａに調整可能に支持するように、ピックアップベース３５のための支持部４０ａを備えている。アクチュエータベース４０は更に、レーザーダイオード４０ｂ、ビームスプリッタ４０ｃ、立上げミラー４０ｄ、及びフォトダイオード４０ｅを備えている。更に、アクチュエータベース４０は、下方からアクチュエータベース４０を貫通してピックアップベース３５の下面に設けられたネジ穴に螺合するネジ４０ｆと、ピックアップベース３５の下面を上方に付勢するコイルバネ４０ｇ（図８参照）とを備えている。
【０００６】
なお、複数のサスペンションワイヤ３４の一端側を固定しているダンパベース３３の長手方向の両端には、複数のサスペンションワイヤ３４の振動を抑制するためのゲル状の制振材の収容空間を構成するゲルカバー３７が取り付けられる。このゲルカバー３７は、サスペンションワイヤ３４の固定部に近い部分を収容し、このゲルカバー３７とダンパベース３３との間に構成される収容空間内にゲル状の制振材（図示せず）が注入される。このように従来では、ダンパベース３３とゲルカバー３７とは、別体に構成されている。
【０００７】
以上のように構成された光ヘッドアクチュエータ１によれば、レーザダイオード４０ｂから出た光は、ビームスプリッタ４０ｃにより反射された後、立上げミラー４０ｄにより反射されて、対物レンズ３１を介して、光記録媒体（図示せず）の信号面に集光される。そして、光記録媒体の信号面で反射された光は、再び対物レンズ３１を介して立上げミラー４０ｄで反射され、ビームスプリッタ４０ｃを透過した後、フォトダイオード４０ｅに入射する。これにより、フォトダイオード４０ｅからの出力信号に基づいて、光記録媒体の信号面に記録された情報が検出され得るようになっている。
【０００８】
ところで、この光ヘッドアクチュエータ１は、次のステップを経て組み立てられる。まず、レンズホルダ３０を図６に示すように組み立てる。次に、レンズホルダ３０に複数のサスペンションワイヤ３４の一端を取り付ける。続いて、複数のサスペンションワイヤ３４の他端にダンパベース３３を取り付け、ダンパベース３３にはゲルカバー３７を取り付ける。そして、ゲルカバー３７内にゲル状の制振材を注入する。この制振材の注入には、注射器のような治具が用いられる。更に、上記のように組み立てられた組立体をピックアップベース３５に組み付け、更にこれをアクチュエータベース４０に取り付ける。
【０００９】
更に詳しく言えば、レンズホルダ３０の組合わせは、対物レンズ３１の受け部に、対物レンズ３１の中心位置を規定するための互いに直交する基準線Ｃ１，Ｃ２を設定し、その交点に対物レンズ３１の中心が一致するように対物レンズ３１を組み込む。一方、ダンパベース３３は、その中心線が基準線Ｃ２に一致するようにレンズホルダ３０に組み合わされる。また、ダンパベース３３は、その中心線がピックアップベース３５の立上り部３５ｃに設定された基準位置に一致するようにしたうえでピックアップベース３５に固定される。
【００１０】
【発明が解決しようとする課題】
上述のように、従来の光ヘッドアクチュエータでは、ダンパベースと、ゲルカバーとが別体であるので、これらを形成するための金型が別々に必要であり、しかも、ダンパベースにゲルカバーを取り付けるための製造工程が必要であるので、その分だけ製造コストが高く成ってしまうと言った問題がある。更に、ダンパベースとゲルカバーとが別体であるので、これらの間の隙間から制振材が漏れてしまうと言った問題もある。
【００１１】
それ故に、本発明の課題は、部品点数を減らし、製造を容易にして、製造コストを低減し、更に、制振材が漏れ出すことのない光ヘッドアクチュエータを提供することにある。
【００１２】
【課題を解決するための手段】
請求項１記載の発明によれば、光ピックアップ用のレンズを保持しているレンズホルダと、該レンズホルダを複数のサスペンションワイヤを介して上下左右に変位可能に支持し、前記サスペンションワイヤの一端部をその後壁側に設けられた配線基板に接続するためのダンパベースと、前記複数のサスペンションワイヤの振動を減衰させるためのゲル状の制振材とを含む光ヘッドアクチュエータにおいて、前記ダンパベースは、前記複数のサスペンションワイヤの一端部を固定するための固定面を露出させる切欠きを前記後壁側に有する固定部と、前記複数のサスペンションワイヤの一端部を前記固定部の切欠きへ通すための穴、及び前記複数のサスペンションワイヤの一端部を前記固定部の切欠きへ挿通させると共に前記制振材を収容する収容空間を備え、前記固定部に一体に形成された脚状部とを有し、該穴は、そこに前記複数のサスペンションワイヤを挿通させた状態で合成樹脂により塞がれ、前記複数のサスペンションワイヤは、合成樹脂により前記固定部の切欠きに固定され、かつ前記配線基板に半田付け接続されていることを特徴とする光ヘッドアクチュエータが得られる。
【００１４】
請求項２記載の発明によれば、前記ダンパベースは、透明な合成樹脂から成り、前記制振材は、前記ダンパベースを透過した紫外線によりゲル状に成るものであることを特徴とする請求項１に記載の光ヘッドアクチュエータが得られる。
【００１５】
【発明の実施の形態】
以下、本発明の実施の形態について図面を参照して説明する。図１は本発明の一実施形態による光ヘッドアクチュエータを示す平面図であり、図２はその底面図、図３は図１のＡ−Ａ´線での断面図である。図１を参照すると、この光ヘッドアクチュエータ１は、アクチュエータベース２と、対物レンズ３−１、トラッキングコイル３−２及びフォーカシングコイル３−３（図３参照）を備えたレンズホルダ３と、このレンズホルダ３及びダンパベース４を収容しているアクチュエータフレーム５等を備えている。
【００１６】
図３を参照して、光ヘッドアクチュエータ１は、レーザ光を発生するレーザ部１１を備えている。レーザ部１１から発したレーザ光はビームスプリッタ１２から対物レンズ３−１を介して光記録媒体である光ディスク１３に照射される。また光ディスク１３からの反射光は対物レンズ３−１からビームスプリッタ１２を介して受光装置１４に入射する。即ち、受光装置１４は光ディスク１３からの反射光を受光する。
【００１７】
レーザ部１１及びビームスプリッタ１２はアクチュエータベース２に保持されている。なお、アクチュエータベース２は更に光ディスクドライブの筐体に保持固定される。このアクチュエータベース２の側面には回路基板１５が固定されている。回路基板１５はそれに搭載されたコネクタ１６により光ディスクドライブの他の回路要素に電気的に接続される。
【００１８】
アクチュエータベース２の下面には上述の受光装置１４が組み付けられている。受光装置１４は、素子ホルダ１４−１にフォトダイオード１４−２を搭載して成る。なお、アクチュエータフレーム５には、対物レンズ３−１を露出させ、残りの表面部分を覆うカバー１７が設けられている。
【００１９】
図１に戻って、レンズホルダ３とダンパベース４との間は、複数のサスペンションワイヤ６で連結され、これらの組立体がアクチュエータフレーム５に収容されている。アクチュエータフレーム５には更に、ヨーク７が組み付けられ、このヨーク７にはマグネット８が組み合わされている。
【００２０】
図４を参照して、アクチュエータフレーム５は、樹脂材料で成形された略箱状体の一端側にダンパベース４の受入れ部を有する。この受入れ部には、ダンパベース４をネジ９で固定するための支持ブロック５−１を有する。また、アクチュエータフレーム５の底壁には、対物レンズ３−１への入射光及び反射光の通過可能な開口５ａが設けられている。更に、略箱状体の両側壁には、アクチュエータベース２に設けられた支持部２−１（図１）で支持される略半円形状の突部５−２が設けられていると共に、ゲル状の制振材を注入する注入器の挿通可能な穴５−３が設けられている。この穴５−３は、注入器の上下方向の移動を規制するために、楕円形状にすることが好ましい。これは、制振材の注入に際して、注入器の一部がサスペンションワイヤ６に接触して変形させてしまうことを防止するためである。支持部２−１は、図６で説明したのと同様の形状である。
【００２１】
ダンパベース４は、コ字形状を呈し、サスペンションワイヤ６の一端部を固定するための固定部４−１と、この固定部４−１の両側に一体に連設された脚状部４−２とから成る。固定部４−１の四隅の部分は、切欠いてあり、この切欠き部分の上下方向端面は、サスペンションワイヤ６の一端部を固定するための固定面４−３と成っている。脚状部４−２は、従来の光ヘッドアクチュエータのゲルカバーに相当する部分である。この脚状部４−２は、角筒状に成っており、その内部空間は、サスペンションワイヤ６の一端側部分を固定部４−１へ通す共にサスペンションワイヤ６の振動を減衰させるための制振材（図示せず）を収容する収容空間４−４と成っている。また、脚状部４−２には、サスペンションワイヤ６の一端部を固定面４−３へ挿通させるための穴４−５が形成されている。この穴４−５は、ここにサスペンションワイヤ６が通された後に、合成樹脂（図示せず）により閉塞される。ダンパベース４の後壁には、サスペンションワイヤ６の一端部と半田付け接続するためのフレキシブル配線基板（図示せず）が設けられている。尚、本実施形態の場合、ダンパベース４は、透明な合成樹脂で形成されており、また、制振材は、ダンパベース４を透過した紫外線によりゲル化するもの（例えば、ＵＶ硬化型シリコーンを主成分とするゲル）を用いている。
【００２２】
このダンパベース４は、両側の脚状部４−２がアクチュエータベース２の両側壁と支持ブロック５−１との間のスペースに挿入された状態にてネジ９で固定される。以下に述べるように、ダンパベース４をアクチュエータベース２に固定する前に、ダンパベース４にはサスペンションワイヤ６が取り付けられている。すなわち、レンズホルダ３とダンパベース４とは、複数のサスペンションワイヤ６で連結された組立体の状態にてアクチュエータフレーム５に収容され固定される。
【００２３】
本実施形態の光ヘッドアクチュエータ１の組み立て方法について説明する。まず、治具で保持した状態にてレンズホルダ３の組み立てを行う。次に、組み立てられたレンズホルダ３に複数のサスペンションワイヤ６を取り付ける。続いて、サスペンションワイヤ６を取り付けられたレンズホルダ３を、別の治具で固定されているアクチュエータフレーム５内に位置決めする。そして、この位置決めされたレンズホルダ３における複数のサスペンションワイヤ６の端部にダンパベース４を組み付ける。この場合、ダンパベース４も別の治具で保持されており、サスペンションワイヤ６の端部が、ダンパベース４の両側の収容空間４−４内に入り込むように、ダンパベース４をアクチュエータフレーム５の支持ブロック５−１に向けて水平移動させることで組み付けが行われる。更に、組み付けされたダンパベース４をアクチュエータフレーム５の支持ブロック５−１にネジ９で固定し、サスペンションワイヤ６をダンパベース４の固定部４−１に固定する。最後に、ダンパベース４のサスペンションワイヤ６を収容している収容空間４−４に制振材を注入する。この注入には、注射器のような注入器が用いられ、アクチュエータフレーム５の両側壁の穴５−３を通して行われる。
【００２４】
特に、レンズホルダ３の位置決めは、図５をも参照して、アクチュエータフレーム５には、あらかじめその両側の突部５−２の中心を結ぶ線分Ｓ１を通り、対物レンズ３−１の中心が位置すべき光軸Ｌ１が設定されており、この光軸Ｌ１に合わせてアクチュエータフレーム５の下方から開口５ａを通して、図示しない治具に取り付けられたレーザダイオードＬＤから参照用のレーザ光が照射される。レンズホルダ３の上方にはモニタ用のカメラが設けられて対物レンズ３−１への参照用のレーザ光の入射点がモニタされる。図５中、斜線で示した領域は、モニタ用のカメラによるモニタ領域を示す。このモニタ用のカメラでモニタしながら、参照用のレーザ光が対物レンズ３−１の中心に入射、すなわち対物レンズ３−１の光軸Ｌ２が光軸Ｌ１に一致するようにレンズホルダ３を保持している治具を位置調整することにより、レンズホルダ３をアクチュエータフレーム５内に位置決めする。
【００２５】
以上のように、本実施形態では、レンズホルダ３とダンパベース４の組立てを、レンズホルダ３をアクチュエータフレーム５内に位置決めした状態にて行うので、レンズホルダ３がアクチュエータフレーム５内に精度良く位置決めされる。また、アクチュエータフレーム５は、サスペンションワイヤ６をその両サイドにおいてカバーして保護するようになっており、レンズホルダ３に対してサスペンションワイヤ６の取り付けを行った後、すぐにアクチュエータフレーム５内に収容されるので、その後の工程でサスペンションワイヤ６を変形させてしまうようなことが無い。勿論、制振材の注入工程でも注入器でサスペンションワイヤ６を変形させてしまうようなことが無い。
【００２６】
【発明の効果】
以上説明してきたように、本発明の光ヘッドアクチュエータの場合、ダンパベースとゲルカバーを一体化したので、部品点数を減らすことができ、これにより、製造コストを低減させることができる。更に、本発明の光ヘッドアクチュエータの場合、ダンパベースとゲルカバーとを一体化したので、従来のようにダンパベースとゲルカバーとの間の隙間から制振材が漏れ出してしまう不都合を解消することができる。
【図面の簡単な説明】
【図１】本発明の一実施形態による光ヘッドアクチュエータの平面図である。
【図２】図１に示す光ヘッドアクチュエータの底面図である。
【図３】図１のＡ−Ａ´線での断面図である。
【図４】図１に示す光ヘッドアクチュエータにおいて用いられているダンパベース及びアクチュエータフレームの斜視図である。
【図５】図１に示す光ヘッドアクチュエータにおいてアクチュエータフレームに対するレンズホルダの位置決め方法を説明するための説明図である。
【図６】従来の光ヘッドアクチュエータの分解斜視図である。
【図７】図６に示すダンパベースの取り付け構造を説明するための部分断面側面図である。
【図８】図６に示すピックアップベースの取り付け構造を説明するための部分断面側面図である。
【符号の説明】
１    光ヘッドアクチュエータ
２    アクチュエータベース
３    レンズホルダ
３−１    対物レンズ
３−２    トラッキングコイル
３−３    フォーカシングコイル
４    ダンパベース
４−１    固定部
４−２    脚状部
４−３    固定面
４−４    収容空間
４−５    穴
５    アクチュエータフレーム
６    サスペンションワイヤ
７    ヨーク
８    マグネット
【図１】
0003552006.tif 000002
【図２】
0003552006.tif 000003
【図３】
0003552006.tif 000004
【図４】
0003552006.tif 000005
【図５】
0003552006.tif 000006
【図６】
0003552006.tif 000007
【図７】
0003552006.tif 000008
【図８】
0003552006.tif 000009